(57)【要約】【課題】  オーバーフロー孔が小さくとも、サイフォン現象でオーバーフロー孔からオーバーフロー水の流れを起して、流出させることのできるオーバーフロー装置である。【解決手段】  オーバーフロー孔に曲管または曲折管のオーバーフローエルボを接続して、且つ該オーバーフローエルボにオーバーフロー排水管を接続し、オーバーフロー孔からオーバーフローエルボの流出口までをほぼ同じ通水断面積にするとともに、該流出口をオーバーフロー孔より低位置に形成し、オーバーフローエルボへの空気の流れ込みが無く、サイフォン現象を起させるオーバーフロー装置である。【選択図】図１
2007205147.tif 000002
【特許請求の範囲】
【請求項１】
オーバーフロー孔に曲管または曲折管のオーバーフローエルボを接続し、且つ、該オーバーフローエルボにオーバーフロー排水管を接続して、オーバーフロー孔からオーバーフローエルボの流出口までをほぼ同じ通水断面積にするとともに、該流出口をオーバーフロー孔より低位置に形成し、オーバーフローエルボへの空気の流れ込みが無く、サイフォン現象を起させることを特徴とするオーバーフロー装置。
【請求項２】
オーバーフローエルボが、オーバーフロー孔に接続する俯角の曲管または曲折管でなることを特徴とする請求項１記載のオーバーフロー装置。
【請求項３】
オーバーフロー孔に俯角の接続をするオーバーフローエルボのその垂直部分前までが、通水断面を横径より縦径の短い楕円形状とすることを特徴とする請求項２記載のオーバーフロー装置。
【請求項４】
オーバーフローエルボが、少なくとも２個の小孔であるオーバーフロー孔にそれぞれ接続する細管と、これらのオーバーフロー水の流れを合流させる基管とでなることを特徴とする請求項１乃至３のいずれか１項に記載のオーバーフロー装置。
【請求項５】
オーバーフローエルボの少なくとも２本の細管と、基管とのオーバーフロー水の流れ合流部分に整流壁が形成されたことを特徴とする請求項４記載のオーバフロー装置。
【請求項６】
オーバーフローエルボが、オーバーフロー孔にパッキンを介して接続されることを特徴とする請求項１乃至５のいずれか１項に記載のオーバーフロー装置。
【請求項７】
パッキンが、その接続のオーバーフロー孔と同形状の孔を形成し、該孔端に突出する挿込部を設け、該挿込部をオーバーフローエルボの孔端へ入れ子状に装着してオーバーフローエルボとオーバーフロー孔との孔内が面一にされることを特徴とする請求項６記載のオーバーフロー装置。
【請求項８】
オーバーフロー孔とオーバーフローエルボとの間に介在されるパッキンが、そのオーバーフロー水の流れる孔の孔面外側１個所に膨出部を形成したことを特徴とする請求項６乃至７のいずれか１項に記載のオーバーフロー装置。
【発明の詳細な説明】
【技術分野】
【０００１】  本発明は、洗面台、浴槽、流し台などにおけるあふれ出し防止をするオーバーフロー装置に関するものである。
【背景技術】
【０００２】  従来、洗面台、浴槽、流し台などのオーバーフロー装置は、オーバーフロー水が少量で、且つ徐々のオーバーフローである場合には、スムーズに流れているが、多量、且つ急激な増量となると、オーバーフロー孔が堰となって流れを遅延させ、また閉塞してしまう結果となっていた。況して、オーバーフロー孔が小さいと、尚更であった。【０００３】  そこで、オーバーフロー孔を可能の限り大きくすることが考えられるけれど、それは意匠的機能構造からして芳しくなく、大きさにも限度がある。また、構造上より、オーバーフロー孔に接続するオーバーフロー排出管には空気溜りができてしまいやすく、それが流れを停滞し、そして更には閉塞させてしまうことになっていた。【０００４】  特に、オーバーフロー孔を小さくした洗面台などでは、洗面ボールが合成樹脂でできているので、頑丈にするために肉厚を厚くした結果、オーバーフロー孔は、その孔径より孔奥行き長さが長くなり、オーバーフロー孔裏面のオーバーフロー排出管の取付部分に、空気溜りを形成されがちになり、オーバーフロー水の流れに障害となっていた。【０００５】  そこで、オーバーフロー孔にオーバーフロー排水管を接続するのにオーバーフローエルボで繋ぐものの場合、多量のオーバーフロー水がオーバーフロー孔に流入すると、該オーバーフローエルボに空気が封入されてしまって、オーバーフロー水の流れを悪くしている。これを解決すべく、オーバーフローエルボの上側部にエプロンへと連設するエアベント（空気抜き口）を備えたものがある。（特許文献１）【０００６】  また、オーバーフロー孔の孔径を大きくすることは、洗面ボールの外観を悪くし、だからといって、孔径を小さくすれば排水効率が悪くなるので、これを解決すべく、オーバーフロー孔に接続するオーバーフロー排出管を繋ぐオーバーフローエルボにオーバーフロー孔より通水断面積の大きい水室を形成し、ここにオーバーフロー水を充満させた上で、水室の通水断面積より狭く狭窄した流出口によって、オーバーフロー水の流れを一且絞って流出させ、この流れがベンチュリー管の作用をし、増速されるというものがある。（特許文献２）【０００７】
【特許文献１】  実開平７−１５８７１号公報
【特許文献２】  実開平４−６１１６３号公報（実用新案登録第２５６８０５２号）
【発明の開示】
【発明が解決しようとする課題】
【０００８】  従来には、オーバーフロー孔に接続するオーバーフロー排水管を繋ぐオーバーフローエルボに溜る空気を空気抜きするエアベントなどを設けたものがあって、一応は、オーバーフロー水の支障のない流出を可能とするものであるが、空気抜き口よりオーバーフロー水の溢れ出しを起こし、これを防止するため、空気抜き口にエアベントなど連設してエプロンに至らしめている。
このように空気抜き口に連設するエアベントなどはエプロンに露出させ、意匠的に見栄えよくなく、更にこれらを付設することによって、構造上、部品点数が増えてしまうことになった。
その上、オーバーフロー孔がより小さい孔径になると、オーバーフロー孔の閉塞現象を起すことになって不都合である。【０００９】  だからといって、オーバーフロー孔の孔径の小さいものに対応できるように、オーバーフローエルボにオーバーフロー孔の孔径より大きな通水断面積を持つ水室を構成し、この水室にオーバーフロー孔の孔径より小さい流出口を設け、ここで流れを一且絞って流出することによってベンチュリー管作用をさせ、流れの増速をさせるというものである。しかし、オーバーフロー孔より大きな通水断面積の水室を設けることは、これにオーバーフロー水が充満する前に空気の溜る空気溜りを生ずることの根源となって、水室にオーバーフロー水が充満できず、況しては空気溜りでオーバーフロー水が保留されてしまって、流れによる流速が加わらないのでベンチュリー管作用を生じることなく、流れを逆に減速させ、流れなくしてしまうことになっていた。
また、極度に小さなオーバーフロー孔のものについては、その孔自身が堰となって流れを妨げることになって不都合であった。【００１０】  そこで、オーバーフロー孔が小さくなっても、それに相応する流れを増してオーバーフロー水を流出できるようすることにある。
【課題を解決するための手段】
【００１１】  本発明は、オーバーフロー孔が小さくとも、給水量が増して水面が上昇すると、オーバーフロー孔からのオーバーフロー水の流れにサイフォン現象を起こさせて、流出することのできるオーバーフロー装置を提起するものである。【００１２】  請求項１記載のオーバーフロー装置は、オーバーフロー孔に曲管または曲折管のオーバーフローエルボを接続し、且つ該オーバーフローエルボにオーバーフロー排水管を接続して、オーバーフロー孔からオーバーフローエルボの流出口までをほぼ同じ通水断面積にするとともに、該流出口をオーバーフロー孔より低位置に形成し、オーバーフローエルボへの空気の流れ込みが無く、サイフォン現象を起させるものである。【００１３】  請求項２記載のオーバーフロー装置は、オーバーフローエルボがオーバーフロー孔に接続する俯角の曲管または曲折管でなるものである。【００１４】  請求項３記載のオーバーフロー装置は、オーバーフロー孔に俯角の接続をするオーバーフローエルボのその垂直部分前までが、通水断面を横径より縦径の短い楕円形状とするものである。【００１５】  請求項４記載のオーバーフロー装置は、オーバーフローエルボが少なくとも２個の小孔であるオーバーフロー孔にそれぞれ接続する細管と、これらのオーバーフロー水の流れを合流させる基管とでなるものである。【００１６】  請求項５記載のオーバーフロー装置は、オーバーフローエルボの少なくとも２本の細管と、基部とのオーバーフロー水の流れ合流部分に整流壁が形成されたものである。【００１７】  請求項６記載のオーバーフロー装置は、オーバーフローエルボがオーバーフロー孔にパッキンを介して接続されるものである。【００１８】  請求項７記載のオーバーフロー装置は、パッキンがその接続のオーバーフロー孔と同形状の孔を形成し、該孔端に突出する挿込部を設け、該挿込部をオーバーフローエルボの孔端へ入れ子状に装着してオーバーフローエルボとオーバーフロー孔との孔内が面一にされるものである。【００１９】  請求項８記載のオーバーフロー装置は、オーバーフロー孔とオーバーフローエルボとの間に介在されるパッキンがそのオーバーフロー水の流れる孔の孔面外側１個所に膨出部を形成したものである。
【発明の効果】
【００２０】  本発明のオーバーフロー装置は、オーバーフロー孔にオーバーフローエルボを接続し、オーバーフロー孔からオーバーフローエルボの流出口までをほぼ同じ通水断面積にするとともに、該流出口をオーバーフロー孔より低位置に形成するので、オーバーフロー孔から流れるオーバーフロー水には、オーバーフローエルボへの空気の流れ込みが無く、サイフォン現象を起し、流れに速度を増して流出させることができる。
そして、オーバーフロー孔が、比較的に小さくても、流れに速度を増すことができれば、オーバーフロー水を充分に排水することができる。【００２１】  本発明のオーバーフロー装置は、オーバーフロー孔に曲管または曲折管のオーバーフローエルボを接続することで、しかも俯角の接続をすることによって、オーバーフローエルボへの空気の流れ込みを無くし、空気溜りを生じないようにでき、オーバーフローエルボが速くオーバーフロー水で満たされ易く、速くサイフォン現象を起させることができる。【００２２】  そして、本発明のオーバーフロー装置は、オーバーフロー孔に俯角の接続をするオーバーフローエルボのその垂直部分までが、通水断面を横径より縦径を短い楕円形状にすることによって、一層のオーバーフローエルボへの空気の流れ込みを無くし、空気溜りを全く生じさせなくでき、サイフォン現象を一層速くさせることができることになる。【００２３】  そこで、設計上、小さなオーバーフロー孔にしなければならない場合でも、少なくとも２個のオーバーフロー孔を設け、それらに接続する細管と、この流れを合流させる基管とでなるオーバーフロー装置によって、オーバーフロー水の流量はオーバーフローエルボの通水断面積と、サイフォン現象で起る流れの速度とによって充足することができる。【００２４】  況して、細管から基管への流れが合流する部分に整流壁を形成することによって、流れに渦流を起して空気溜りを生じさせることがなく、流暢な流れをさせることができ、サイフォン現象に支障を起させないようにできる。【００２５】  そして、オーバーフロー孔にオーバーフローエルボを接続するに当って、パッキンを介在させることによって、それらのオーバーフロー水の流れる孔を容易に一致させやすくでき、作業性の向上を図ることができる。しかも、これらオーバーフロー孔とオーバーフローエルボとの間の接続部分に起り易い空気溜りの起因となる位置ヅレを解消させることができる。【００２６】  更に、パッキンが、その接続のオーバーフロー孔と同形状の孔を形成し、該孔端に突出する挿込部を設け、該挿込部をオーバーフローエルボの孔端へ入れ子状に装着すれば、オーバーフロー孔とオーバーフローエルボとの孔内を面一にさせることができ、空気溜りの起因を解消できることになる。【００２７】  そしてまた、オーバーフロー孔とオーバーフローエルボとの間に介在されたパッキンのそのオーバーフロー水の流れる孔の孔面外側１個所に膨出部を形成したことによって、オーバーフロー水がオーバーフロー孔内周に沿い流れ易くして、空気溜りを起すことなく、瞬時にオーバーフロー孔内を満し、速く、且つ確実にサイフォン現象に至らしめることができる。
【発明を実施するための形態】
【００２８】  オーバーフロー装置は、オーバーフロー孔に接続されたオーバーフローエルボがサイフォン現象を発生し、オーバーフロー水を適宜に排水するものである。
【実施例】
【００２９】  本発明のオーバーフロー装置を図面に基いて説明すると、次のとおりである。【００３０】  オーバーフロー装置Ａは、オーバーフロー孔１に曲管または曲折管のオーバーフローエルボ２がパッキン３を介して接続し、且つ該オーバーフローエルボがオーバーフロー排水管Ｂに接続されるものである。そして、オーバーフロー孔１からオーバーフローエルボ２の流出口２１までをほぼ同じ通水断面積にするとともに、該流出口２１をオーバーフロー孔１より低位置に形成する。（図１）【００３１】  そこで、オーバーフロー装置は、オーバーフローエルボ２がオーバーフロー孔１に接続する俯角の曲管または曲折管でなっている。
俯角は、３０度から６０度の角度であって、望ましくは４５度である。（図２）【００３２】  このオーバーフロー装置は、オーバーフロー水が溢れ始めは、オーバーフロー孔１及びオーバーフローエルボ２の内壁に伝え沿ってオーバーフロー排水管Ｂへ流れているが、増水すると、オーバーフローエルボ２が曲管または曲折管であるので、特に、オーバーフローエルボ２がオーバーフロー孔１に俯角で接続しているので、オーバーフロー水が、直ぐにオーバーフロー孔１及びオーバーフローエルボ２の流入口２６付近を塞ぐように満され、これより先の流出口２１までの孔内を負圧とし、この負圧が塞いでいるオーバーフロー水を吸引し、吸引によって流出口２１への流れの勢いを増すことになって流出し続ける。【００３３】  そして、オーバーフロー装置Ａは、オーバーフロー孔１からオーバーフローエルボ２の流出口２１までがほぼ同じ通水断面積にするとともに、該流出口２１をオーバーフロー孔１より低位置に形成することによって、孔内に空気溜りを生ずることなく、流出口２１より流出するオーバーフロー水の重量によってオーバーフロー水の吸引となり、この吸引が流れの増速となって、サイフォン現象を起し、流れの増速が、結果的には、オーバーフロー水の増量した排水をすることができる。
よって、このようなオーバーフロー装置を備えていれば、仮に、オーバーフロー孔が小さいものであっても、流れを遅帯させたり、閉塞させたりすることは通常ではない。【００３４】  なお、オーバーフローエルボ２をオーバーフロー孔１に俯角に接続することは、オーバーフロー水の流れを円滑にし、且つサイフォン現象を起こし易くすることにあるが、オーバーフローエルボ２をオーバーフロー孔１に取付けるとき、オーバーフローエルボ２を握ってもそれが邪魔にならずに螺子締めをすることができるといった施工上の利点もある。【００３５】  図２、図３は、設計上、加工上、並びに意匠上より、オーバーフロー孔を小さくしたが、オーバーフロー水の流量を減少させないように、２個のオーバーフロー孔１を並設したオーバーフロー装置のオーバーフローエルボ２を示す。【００３６】  洗面台などでは、オーバーフロー水の溢れ出しを防止するため、ボールに大きなオーバーフロー孔を形成すればよいことになるが、意匠上、見栄えよくない。また、ボールに水を溜めるに当って、その満水時のボールへの容量を増すには、設計上、小さなオーバーフロー孔にすることで、満水時のボールの水の深さが増すことができる。また、オーバーフロー孔が小さいと、小さな孔の加工をすればよいことですみ、況して丸孔であると加工上の仕易さが上げられる。【００３７】  しかしながら、サイフォン現象を起すオーバーフロー装置であっても、そのオーバーフロー孔を極度に小さくすると、通水断面積が小さくなり、流量の限度を生ずることになる。
そこで、２個のオーバーフロー孔によるオーバーフロー装置について説明する。【００３８】  ２個のオーバーフロー孔に接続するオーバーフローエルボ２は、２個のオーバーフロー孔のそれぞれに接続する俯角の細管２２と、この細管の流れを合流させた基管２３と、それぞれの細管をオーバーフロー孔にパッキン３を介してともに接続させるフランジ２４とからなっている。【００３９】  ２個のオーバーフロー孔に接続するオーバーフローエルボ２の細管２２の各々の流れを合流させる交叉部２５、及び流れを合流させた基管２３の流出口２１がオーバーフロー孔より低位置にされ、オーバーフロー孔から流出口２１までを通水断面積がほぼ同じにされる。
即ち、２個のオーバーフロー孔の通水断面積、オーバーフローエルボ２の２本の細管２２の通水断面積、そして基管２３の通水断面積がともに、ほぼ同じである。【００４０】  オーバーフローエルボ２は、オーバーフロー孔より流入されたオーバーフロー水の流れが、オーバーフローエルボ２の細管２２で曲折し、細管の交叉部２５である流れの合流部分で再び曲折する曲折管になっている。【００４１】  細管２２の各々が流れを合流させる交叉部２５には、細管２２、基管２３の流れに沿っての断面図である図４に示すように、整流壁２８が設けられ、流れに渦流を起したり、空気溜りを生じさせたりしないようになっていて流暢に流れる。【００４２】  この２個のオーバーフロー孔に接続されるオーバーフローエルボ２でなるオーバーフロー装置は、オーバーフロー水の溢れ始めには、どちらか一方のオーバーフロー孔からそれに繋っている細管２２を経て、それらの内壁に伝い沿って流出口２１より流出し、オーバーフロー排水管Ｂへ排出される。【００４３】  オーバーフロー水が増量すると、オーバーフローエルボ２は、渦流による空気溜りを生じないような曲折管、即ち、オーバーフロー孔に接続する俯角の細管２２で、しかも該細管が、図５で示すように、通水断面を横径ａより縦径ｂの短い楕円形状になっているので、この細管２２のため、先ずこの細管の流入口２６付近がオーバーフロー水で満され、塞がれ、それより先の基管２３の流出口２１までの孔内が負圧となって、オーバーフロー水を吸引し、後には、オーバーフローエルボ２がほぼ同じ通水断面積をしているので、空気溜りを生ずることなく、オーバーフロー水をオーバーフロー孔１から吸引される。【００４４】  そして、オーバーフローエルボ２は、細管の交叉部２５の流れの合流部分、及び流出口２１がオーバーフロー孔より低位置にあるので、この曲折管内にあるオーバーフロー水の重量でサイフォン現象を起し、流れをスムーズに増量して、排水される。
よって、オーバーフロー水の流れの遅延や閉塞を起すことがない。【００４５】  なお、オーバーフロー水で細管２２が塞がるように満たされるには、２個の細管２２の片方づつから始められるので、況してこの細管２２が細いので、サイフォン現象を速く発生させ、且つ吸引が強いので流速を速め、孔内の汚れを付きづらくし、それとともに流量を増すことになる。【００４６】  ところで、本発明で多く用いられる実施態様としてのオーバーフローエルボは、オーバーフロー孔に俯角４５度で接続する２個の細管２２が、その各々の口径１７ｍｍで、長さ５８ｍｍであり、これらの流れを合流させる交叉部２５を設けるとともに、この細管に４５度で曲折する基管２３が、口径２１ｍｍで、長さ５３ｍｍである。【００４７】  図６、図７は、オーバーフローエルボ２をオーバーフロー孔に接続するに当って、介入されるパッキン３である。
このパッキン３は、オーバーフローエルボ２の孔端に入れ子状に装着する挿入部部分３１と、オーバーフローエルボ２のフランジ２４に位置決めで嵌合するリブ３２とを備えており、該リブ３２は、オーバーフローエルボ２のフランジ２４の上端と下端とに形成された溝へ嵌合してパッキン３をフランジへ確実に位置決め固定できることになる。【００４８】  よって、パッキン３が、オーバーフローエルボ２の孔端に入れ子状に挿入部３１を装着させているので、パッキン３の孔はオーバーフローエルボ２孔内と面一となって、空気溜りの起因が解消されることになる。【００４９】  図８、図９は、オーバーフロー孔１とオーバーフローエルボ２との間に介在されるパッキン３ａの他の実施例を示すものであって、該パッキン３ａは、そのオーバーフロー水の流れる孔の孔面外側１個所に膨出部３３を形成し、この膨出部３３によって、オーバーフロー水が表面張力で引張られてオーバーフロー孔内周に沿い流れ、空気溜りを起すことになく、瞬時にオーバーフロー孔水が満し、速くサイフォン現象を起すことになる。
よって、このようなパッキンを採用することによって、速く流量を増し、且つ効率的にオーバーフロー水の排水をさせることになる。
なお、図中、３４はシール性を向上させるためのビードである。
【図面の簡単な説明】
【００５０】
【図１】  オーバーフロー装置の一部断面にした説明図である。
【図２】  オーバーフローエルボの側面図である。
【図３】  オーバーフローエルボの正面図である。
【図４】  オーバーフローエルボの流れに沿っての断面図である。
【図５】  図４における細管のＣ−Ｃ断面図である。
【図６】  オーバーフローエルボをオーバーフロー孔に接続するに当って介入されるパッキンの断面図である。
【図７】  パッキンの裏面図である。
【図８】  オーバーフローエルボとオーバーフロー孔と問い介在されるパッキンの正面図である。
【図９】  そのパッキンの斜め断面図である。
【符号の説明】
【００５１】  Ａ      オーバーフロー装置
Ｂ      オーバーフロー排水管
１      オーバーフロー孔
２      オーバーフローエルボ
２１    流出口
２２    細管
２３    基管
２４    フランジ
２５    交叉部
２６    流入口
２８    整流壁
３      パッキン
３１    挿入部
３２    リブ
３３    膨出部
３４    ビード
【図１】
2007205147.tif 000003
【図２】
2007205147.tif 000004
【図３】
2007205147.tif 000005
【図４】
2007205147.tif 000006
【図５】
2007205147.tif 000007
【図６】
2007205147.tif 000008
【図７】
2007205147.tif 000009
【図８】
2007205147.tif 000010
【図９】
2007205147.tif 000011